(57)【要約】【課題】  ユーザにとって使い勝手の良い無線ＬＡＮアクセスポイントへの接続機能を備えた情報処理装置を提供する。【解決手段】  本発明の情報処理装置１０によれば、電源オフ状態にある期間中に、無線通信デバイス１３１により無線データ通信可能な外部機器１８を発見し、発見ステップで発見された外部機器１８の識別情報を記憶し、発見ステップで発見された外部機器１８の情報をサブディスプレイ２１に表示する。接続確立スイッチ１７が操作されると電源オン状態とし、オペレーティングシステムを起動すると共に、記憶された発見された外部機器の識別情報を利用して外部機器との接続を確立させる。【選択図】      図３
2007135085.tif 000002
【特許請求の範囲】
【請求項１】
外部機器との無線データ通信を行う無線通信デバイスと、
電源オフ状態にある期間中に、前記無線通信デバイスにより無線データ通信可能な外部機器を発見する発見手段と、
前記発見された外部機器の識別情報を記憶する記憶手段と、
前記発見された外部機器の情報を表示する表示手段と、
オペレーティングシステムを起動すると共に、前記記憶手段に記憶された前記発見された外部機器の識別情報を利用して前記外部機器との接続を確立するための接続確立スイッチと、
を備えたことを特徴とする情報処理装置。
【請求項２】
請求項１記載の情報処理装置において、前記無線通信デバイスを有効および無効にするスイッチをさらに備えたことを特徴とする情報処理装置。
【請求項３】
請求項１記載の情報処理装置において、前記記憶手段に記憶された識別情報を書き換える書き換え手段をさらに備えたことを特徴とする情報処理装置。
【請求項４】
前記表示手段は、前記発見された外部機器の識別情報をサブディスプレイに表示することを特徴とする請求項1記載の情報処理装置。
【請求項５】
電源オフ状態にある期間中に、無線通信デバイスにより無線データ通信可能な外部機器を発見する発見ステップと、
前記発見ステップで発見された外部機器の識別情報を記憶する記憶ステップと、
前記発見ステップで発見された外部機器の情報を表示する表示ステップと、
オペレーティングシステムを起動すると共に、前記記憶ステップにて記憶された前記発見された外部機器の識別情報を利用して前記外部機器との接続を確立させる接続確立ステップとを備えたことを特徴とする情報処理装置の無線通信接続方法。
【請求項６】
コンピュータに、電源オフ状態にある期間中に、無線通信デバイスにより無線データ通信可能な外部機器を発見する発見ステップと、
前記発見ステップで発見された外部機器の識別情報を記憶する記憶ステップと、
前記発見ステップで発見された外部機器の情報を表示する表示ステップと、
オペレーティングシステムを起動すると共に、前記記憶ステップにて記憶された前記発見された外部機器の識別情報を利用して前記外部機器との接続を確立させる接続確立ステップとを実行させる無線通信接続プログラム。
【発明の詳細な説明】
【技術分野】
【０００１】
本発明は、無線通信機能をもつ情報処理装置に関する。さらに本発明は、例えばノート型ＰＣ（パーソナルコンピュータ）、ＰＤＡ等の無線通信機能をもつ携行の容易な小型電子機器に適用して好適なプログラムに関する。
【背景技術】
【０００２】
一般に、パーソナルコンピュータのような情報処理装置に於いては、有線ＬＡＮデバイスのようなネットワークデバイスが設けられている。ネットワークデバイスは、コンピュータをネットワークに接続するために用いられる。コンピュータをインターネットなどのネットワークに接続することにより、そのネットワーク上の他のコンピュータからの情報の取得や他のコンピュータとの間の情報の共有を行なうことが可能となる。多くのパーソナルコンピュータに於いては、ネットワーク接続機能をサポートするオペレーティングシステムが用いられている。このため、ネットワークに関する技術的な知識を持たないユーザであっても、コンピュータをインターネットなどのネットワークに容易に接続することができる。
【０００３】
近年、ノート型パーソナルコンピュータ、ＰＤＡ等の小型情報処理機器に於いては、使用環境下に於いて周辺に存在する無線ＬＡＮのアクセスポイントを見つけ、そのアクセスポイント介してネットワーク接続を行う機能を有している（例えば、特許文献１参照）
【０００４】
これらの機器に於いて、無線ＬＡＮのアクセスポイントに接続する場合、先ず通信可能なアクセスポイントを発見し、その後、接続するという手順をふむ。この際、発見したアクセスポイントのＩＤ、種別等を容易に識別できるようにするため、アクセスポイントに対応するキャラクタを表示してユーザに知らせるものもある。（例えば、特許文献２参照）
【特許文献１】特開平１０−８９９８０号公報
【特許文献２】特開２００４−２９７３５３
【発明の開示】
【発明が解決しようとする課題】
【０００５】
しかしながら、ＰＣにおいて無線ＬＡＮアクセスポイントを発見して接続する場合、そのＰＣの各種機能を司るＯＳ（オペレーティングシステム）やアプリケーションが動作している必要がある。従って、ＰＣの電源が入っていない状態（電源オフ状態）において無線ＬＡＮアクセスポイントと接続し、インターネットなどのネットワークに接続しようとする場合、ユーザは先ずシステムの電源を入れ、ＯＳおよびアプリケーションを起動状態しなければならないが、その状態にするためには数十秒から数分の時間が必要となる。また、システムの電源を入れてＯＳおよびアプリケーションが起動したとしても、その場所で無線ＬＡＮアクセスポイントがが発見でき、インターネットに接続できない場合も考えられ、システム起動に要した時間が無駄になってしまうこともある。
【０００６】
そこで本発明では、ユーザにとって使い勝手の良い無線ＬＡＮアクセスポイントへの接続機能を備えた情報処理装置を提供することを目的とする。
【課題を解決するための手段】
【０００７】
上記目的を達成するために、本発明の情報処理装置は、外部機器との無線データ通信を行う無線通信デバイスと、電源オフ状態にある期間中に、前記無線通信デバイスにより無線データ通信可能な外部機器を発見する発見手段と、前記発見された外部機器の識別情報を記憶する記憶手段と、前記発見された外部機器の識別情報を表示する表示手段と、オペレーティングシステムを起動すると共に、前記記憶手段に記憶された前記発見された外部機器の識別情報を利用して前記外部機器との接続を確立するための接続確立スイッチとを備えるものである。
【０００８】
また本発明の情報処理装置の無線通信接続プログラムは、電源オフ状態にある期間中に、無線通信デバイスにより無線データ通信可能な外部機器を発見する発見ステップと、前記発見ステップで発見された外部機器の識別情報を記憶する記憶ステップと、前記発見ステップで発見された外部機器の識別情報を表示する表示ステップと、オペレーティングシステムを起動すると共に、前記記憶ステップにて記憶された前記発見された外部機器の識別情報を利用して前記外部機器との接続を確立させる接続確立ステップとをコンピュータに実行させるものである。
【発明の効果】
【０００９】
本発明によれば、ユーザにとって使い勝手の良い無線ＬＡＮアクセスポイントへの接続機能を備えた情報処理装置を提供することができる。
【発明を実施するための最良の形態】
【００１０】
以下、本発明の情報処理装置について、図面を参照しながら説明する。
【実施例１】
【００１１】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。
【００１２】
図１は、ディスプレイユニットを開いた状態におけるコンピュータ１０を正面側から見た斜視図である。
本コンピュータ１０は、コンピュータ本体１１と、ディスプレイユニット１２とから構成される。ディスプレイユニット１２には、メインディスプレイとしてＬＣＤ２０（Liquid Crystal Display）から構成される表示装置が組み込まれており、そのＬＣＤ２０の表示画面はディスプレイユニット１２のほぼ中央に位置されている。
【００１３】
ディスプレイユニット１２は、コンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面にはキーボード１３、本コンピュータ１０を電源オン／オフするためのパワーボタン１４およびタッチパッド１５が配置されている。コンピュータ本体１１には無線通信デバイスが内蔵されている。
【００１４】
コンピュータ本体１１の左側面上には、ワイヤレスコミュニケーションスイッチ１６および無線接続ボタン１７が設けられている。ワイヤレスコミュニケーションスイッチ１６は、無線通信デバイスによる無線通信の実行を許可（有効）または禁止（無効）するための操作スイッチである。ワイヤレスコミュニケーションスイッチ１６は、無線通信の実行の許可を示す第１ステートおよび無線通信の実行の禁止を示す第２ステートの一方に設定される。無線接続ボタン１７は、電源オフ状態から電源オン状態にし、オペレーティングシステムを起動させて既に発見されている無線ＬＡＮアクセスポイントとの接続を確立させるためのスイッチである。
【００１５】
もしワイヤレスコミュニケーションスイッチ１６が第２ステートに設定されていれば、無線通信デバイスは機能しない。これにより、例えば病院のような、電波の使用が制限された場所で、無線通信が実行されてしまうことを未然に防ぐことができる。
【００１６】
図２は、ディスプレイユニット１２を閉じた状態におけるコンピュータ１０の外観を示す斜視図である。ディスプレイユニット１２の背面には、メインディスプレイとは異なるサブディスプレイ２１が配置されている。サブディスプレイ２１は、発見された無線ＬＡＮアクセスポイントの識別情報として業者名やＳＳＩＤを表示し、その他に無線ＬＡＮアクセスポイントとの間の通信電波強度、データ伝送スピード、暗号設定の有無などを表示する。このサブディスプレイ２１により、ユーザは、ディスプレイユニット１２が閉じた状態においても、現在接続可能な無線アクセスポイントがあるか否か、どのアクセスポイントと無線通信接続が可能か否か等を確認することができる。
【００１７】
図３には、本コンピュータ１０のシステム構成の一例が示されている。
本コンピュータ１０は、ＣＰＵ１１１、ノースブリッジ１１２、主メモリ１１３、グラフィクスコントローラ１１４、サウスブリッジ１１５、ハードディスクドライブ（ＨＤＤ）１１６、フラッシュＢＩＯＳ−ＲＯＭ１１８、エンベデッドコントローラ／キーボードコントローラＩＣ（ＥＣ／ＫＢＣ）１１９、電源回路１２０、補助プロセッサ（APU: Auxiliary Processing Unit）１３０、無線通信デバイス１３１および不揮発性メモリ１３２を備えている。
【００１８】
ＣＰＵ１１１は、本コンピュータ１０の動作を制御するメインプロセッサである。このＣＰＵ１１１は、ＨＤＤ１１６から主メモリ１１３にロードされる、オペレーティングシステム（ＯＳ）および各種アプリケーションプログラム（無線接続アプリケーションプログラム）／ユーティリティプログラムを実行する。また、ＣＰＵ１１１は、フラッシュＢＩＯＳ−ＲＯＭ１１８に格納されたシステムＢＩＯＳ（基本入出力システム：Basic Input Output System）も実行する。システムＢＩＯＳはハードウェア制御のためのプログラムである。
【００１９】
ノースブリッジ１１２は、ＣＰＵ１１１のローカルバスとサウスブリッジ１１６との間を接続するブリッジデバイスである。また、ノースブリッジ１１２は、ＡＧＰ（Accelerated Graphics Port）バスなどを介してグラフィクスコントローラ１１４との通信を実行する機能も有している。さらに、ノースブリッジ１１２には、主メモリ１１３を制御するメモリコントローラも内蔵されている。
【００２０】
グラフィクスコントローラ１１４は、本コンピュータ１０のディスプレイモニタとして使用されるＬＣＤ２０を制御する表示コントローラである。サウスブリッジ１１５は、ＰＣＩ（Peripheral Component Interconnect）バスおよびＬＰＣ（Low Pin Count）バスにそれぞれ接続されている。また、サウスブリッジ１１５には、ＨＤＤ１１６を制御するＩＤＥコントローラも内蔵されている。
【００２１】
エンベデッドコントローラ／キーボードコントローラＩＣ（ＥＣ／ＫＢＣ）１１９は、電源管理のためのエンベデッドコントローラと、キーボード（ＫＢ）１３およびタッチパッド１５などを制御するキーボードコントローラとが集積された１チップマイクロコンピュータである。エンベデッドコントローラ／キーボードコントローラＩＣ１１９は、電源回路１２０と共同して、ユーザによるパワーボタンスイッチ１４の操作に応じて本コンピュータ１０を電源オン／電源オフしたり、無線接続ボタン１７の操作に応じて電源オンさせてシステムを起動させるべく動作する。電源回路１２０は、バッテリ１２１、またはＡＣアダプタ１２２を介して供給される外部電源を用いて、本コンピュータ１０の各コンポーネントに供給すべき動作電源を生成する。本コンピュータ１０が電源オフ状態の時も、ＥＣ／ＫＢＣ１１９には電源回路１２０から動作電源が供給される。
【００２２】
補助プロセッサ（ＡＰＵ）１３０はＥＣ／ＫＢＣ１１９と共同して無線ＬＡＮアクセスポイントのサーチ機能を制御するための制御デバイスであり、１チップマイクロコンピュータから構成されている。本コンピュータ１０が電源オフ状態の時も、補助プロセッサ（ＡＰＵ）１３０には電源回路１２０から動作電源が供給される。
【００２３】
補助プロセッサ（ＡＰＵ）１３０は、通信デバイス１３１を動作させ、無線ＬＡＮアクセスポイント１８を発見する処理（プログラム）を実行する機能を有している。すなわち、補助プロセッサ（ＡＰＵ）１３０は、無線通信デバイス１３１にシリアルバス（例えばＳＭＢＵＳ、ＵＳＢ等）を介してポイントツーポイント形式で電気的に接続されており、無線通信デバイス１３１と直接的に通信することができる。補助プロセッサ（ＡＰＵ）１３０は、無線通信デバイス１３１との通信を実行することにより、無線通信デバイス１３１が使用可能な状態であるか、また、通信デバイス１３１が無線のネットワークを介して外部装置（無線ＬＡＮアクセスポイント）との通信を実行可能な状態であるか否かを判別する。また、接続可能な無線ＬＡＮアクセスポイント１８を発見した場合にはその無線ＬＡＮアクセスポイント１８の識別情報（ＳＳＩＤ）等を不揮発性メモリ１３２に記憶させる。また補助プロセッサ（ＡＰＵ）１３０は、サブディスプレイ２１を制御する機能も有しており、無線通信デバイス１３１を通じて発見された無線ＬＡＮアクセスポイント１８の識別情報（ＳＳＩＤ）、電波強度、データ伝送スピード、暗号化設定の有無等の情報を図４に示すように表示する。その際、既に登録されている無線ＬＡＮアクセスポイントの場合には、そのＳＳＩＤと関連付けて登録記憶された業者名、例えば「ＴＯＳＨＩＢＡ」という名称を表示する。これによりユーザは、どの無線ＬＡＮアクセスポイント１８と接続可能であるかを認識することができる。
【００２４】
さらに、補助プロセッサ（ＡＰＵ）１３０は、シリアルバス（例えばＳＭＢＵＳ、ＵＳＢ等）を介してサウスブリッジ１１５にも接続されている。これにより、本コンピュータ１０が電源オンされている状態においては、ＣＰＵ１１１と補助プロセッサ（ＡＰＵ）１３０との間の通信を実行することもできる。よって、本コンピュータ１０が電源オンされている状態においては、オペレーティングシステムから補助プロセッサ（ＡＰＵ）１３０の動作を監視することができる。
【００２５】
無線通信デバイス１３１は、Wireless LANのような無線通信規格に従って基地局(無線ＬＡＮアクセスポイント１８)との無線通信を実行する。
本コンピュータ１０が電源オフ状態の時も、無線通信デバイス１３１には電源回路１２０から動作電源が供給される。本コンピュータ１０が電源オフ状態の時、無線通信デバイス１３１はローパワーステートで動作する。
【００２６】
不揮発性メモリ１３２は、補助プロセッサ（ＡＰＵ）１３０が実行するプログラムを記憶すると共に、接続可能な無線ＬＡＮアクセスポイント１８を発見した場合にはその無線ＬＡＮアクセスポイント１８の識別情報（ＳＳＩＤ）等を記憶するものである。記憶された無線ＬＡＮアクセスポイントの識別情報は、ＣＰＵ１１１が実行する上位のアプリケーションよりの指示に基づいて編集、書き換えることもできる。このとき、ＣＰＵ１１１は、ＨＤＤ１１６に記憶された無線ＬＡＮアクセスポイントの識別情報、或いはインターネット等の外部ネットワークより取得した無線ＬＡＮアクセスポイントの識別情報を不揮発性メモリ１３２に記憶させる指示をサウスブリッジ１１５を介して補助プロセッサ（ＡＰＵ）１３０に行い、補助プロセッサ（ＡＰＵ）１３０が不揮発性メモリ１３２内の識別情報を更新する。
【００２７】
図３のシステムにおいては、電源オフ状態中、補助プロセッサ（ＡＰＵ）１３０は、タイマ１４０により所定のタイミング、例えば１０秒間隔で無線通信デバイス１３１を用いて無線ＬＡＮアクセスポイント１８を発見する処理（プログラム）を実行する。発見された無線ＬＡＮアクセスポイント１８の識別情報（ＳＳＩＤ或いは業者名）等はサブディスプレイ２１に図４に示すように表示される。
【００２８】
図５は、本コンピュータ１０のシステムステートの遷移を示している。本コンピュータ１０は、Ｓ０，Ｓ３，Ｓ４，Ｓ５の４つのシステムステートをサポートしている。Ｓ０は、本コンピュータ１０が電源オンされている動作ステートである。Ｓ３（サスペンド），Ｓ４（ハイバネーション），Ｓ５（オフ）はそれぞれ本コンピュータ１０が電源オフされている省電力ステートである。
【００２９】
Ｓ３，Ｓ４，Ｓ５のいずれにおいても、ＥＣ／ＫＢＣ１１９、補助プロセッサ（ＡＰＵ
）１３０、および無線通信デバイス１３１には動作電源がそれぞれ供給される。
無線ＬＡＮアクセスポイント１８の発見処理機能（プログラム）は、本コンピュータ１０がＳ３，Ｓ４，Ｓ５のいずれに設定されている場合でも利用することができる。ただし、ワイヤレスコミュニケーションスイッチ１６が第２ステートに設定されている場合には当該発見処理機能は実行されない。
【００３０】
次に、無線ＬＡＮアクセスポイントの発見処理動作について図６のフローチャート図を用いて説明する。
まず、ワイヤレスコミュニケーションスイッチ１６が第１ステートにあるかどうか、つまり無線通信デバイス１３１が動作可能かどうかを判断し（ステップ６０１）、無線通信デバイス１３１が動作可能であればタイマー１４０に基づいて１０秒経過したか否かを判断し（ステップ６０２）、１０秒経過していれば無線ＬＡＮアクセスポイントへ応答要求を発信し、その返信応答に基づく発見処理を行う（ステップ６０３）。ステップ６０３で無線ＬＡＮアクセスポイントより返信があり発見された場合には、その発見された無線ＬＡＮアクセスポイントのＳＳＩＤが既に不揮発性メモリ１３２に記憶されているかどうかを参照し（ステップ６０４）、記憶されている場合にはそのＳＳＩＤに対応する業者名（ニックネーム）、例えば「ＴＯＳＨＩＢＡ」と言った名称と共に図４に示すようにサブディスプレイ２１に表示する（ステップ６０５）。ＳＳＩＤが登録されていない場合には業者名（ニックネーム）が表示できないため、業者名を除く情報がサブディスプレイ２１に表示される（ステップ６０６）。サブディスプレイ２１に発見された無線ＬＡＮアクセスポイントの情報が表示されると、その情報の内、その無線ＬＡＮアクセスポイントへの接続に必要な情報、例えばＳＳＩＤや暗号化の有無と種類の情報が不揮発性メモリ１３２に記憶される（ステップ６０７）。これらのステップは補助プロセッサ（ＡＰＵ）１３０によって実行され、かつ電源オフ状態において実行される。
【００３１】
次に、無線ＬＡＮアクセスポイントへの接続処理動作について図７のフローチャート図を用いて説明する。ここでは、図６の補助プロセッサ１３０による発見処理機能（プログラム）により発見された無線ＬＡＮアクセスポイントの情報がサブディスプレイ２１に表示されている状態であって、無線接続ボタン１７が操作された場合の動作について説明する。
【００３２】
ます無線接続ボタン１７の操作信号がエンベデッドコントローラ／キーボードコントローラＩＣ１１９に入力されたか否かによって無線接続ボタン１７が操作されたか否かがチェックされ（ステップ７０１）、操作された場合には、補助プロセッサ（ＡＰＵ）１３０により本コンピュータ１０は電源オンの状態へシフトする（ステップ７０２）。本コンピュータ１０の電源オンに応答して、オペレーティングシステム（ＯＳ）がブートアップされ（ステップ７０３）、そしてユーティリティプログラムの制御の下に無線接続アプリケーションプログラムが起動される（ステップ７０４）。無線接続アプリケーションプログラムはユーティリティプログラムの制御の下に自動的に図６のステップ６０７で不揮発性メモリ１３２に記憶した無線ＬＡＮアクセスポイントの接続情報を読み出し（ステップ７０５）、その接続情報に基づいて無線ＬＡＮアクセスポイントへ接続要求を行い通信接続を確立する（ステップ７０６）。
【００３３】
以上本実施例によれば、電源オフ状態においても補助プロセッサ１３０が無線通信デバイス１３１にて接続可能な無線ＬＡＮアクセスポイントを発見し、その情報をサブディスプレイ２１に表示させるため、ユーザはコンピュータを電源オン状態にする前に周囲に接続可能な無線ＬＡＮアクセスポイントが存在するかどうかを認識した上でコンピュータの電源をオン状態とし、無線接続アプリケーションプログラムにより無線ＬＡＮアクセスポイントとの接続を確立することができる。また、無線接続ボタン１７を操作することで、電源オン、システムの起動から無線接続アプリケーションプログラムの起動、無線ＬＡＮアクセスポイントとの接続までが自動的に実行されるため、無線ＬＡＮアクセスポイントとの通信接続処理を簡易に行うことができる。
【００３４】
尚、本実施例では、ワイヤレスコミュニケーションスイッチ１６が第１ステートにある場合には補助プロセッサ１３０により発見処理機能が所定時間間隔で実行されるよう構成しているが、無線接続ボタン１７が操作されたときに初めて無線ＬＡＮアクセスポイント１８の発見処理機能を実行し、発見された無線ＬＡＮアクセスポイントの情報をサブディスプレイに表示させるようにする変形例もある。
【００３５】
この構成によれば、オペレーティングシステム（ＯＳ）を起動することなく、例えば不揮発性メモリ１３２に記憶された簡易のプログラム（発見処理機能プログラム）のみを補助プロセッサ１３０或いはＣＰＵ１１１に実行させ、発見された無線ＬＡＮアクセスポイントをユーザがサブディスプレイ２１で認識した上で上記実施例と同様に電源オン状態にしてオペレーティングシステム（ＯＳ）を起動し、無線接続アプリケーションプログラムにより無線ＬＡＮアクセスポイントと通信接続を確立させることができる。
【図面の簡単な説明】
【００３６】
【図１】本発明の第１の実施例に係る情報処理装置を正面から見た外観を示す斜視図である。
【図２】ディスプレイユニットを閉じた状態における図１の情報処理装置の外観斜視図である。
【図３】本発明の第１の実施例に係る情報処理装置のシステム構成を示すブロック図である。
【図４】本発明の第１の実施例に係る情報処理装置のサブディスプレイに表示された無線ＬＡＮアクセスポイントの情報の例を示す図である。
【図５】本発明の第１の実施例に係る情報処理装置のシステムステートの遷移を示す図である。
【図６】本発明の第１の実施例に係る発見処理機能（プログラム）の動作フローチャート図である。
【図７】本発明の第１の実施例に係る無線接続ボタンの操作による無線接続処理を示す動作フローチャート図である。
【符号の説明】
【００３７】
１０・・・コンピュータ
１４・・・パワーボタン
１６・・・ワイヤレスコミュニケーションボタン
１７・・・無線接続ボタン
１８・・・無線ＬＡＮアクセスポイント
２１・・・サブディスプレイ
１１３・・・主メモリ
１１６・・・ＨＤＤ
１１９・・・ＥＣ／ＫＢＣ
１３０・・・補助プロセッサ
１３１・・・無線通信デバイス
１３２・・・不揮発性メモリ
【図１】
2007135085.tif 000003
【図２】
2007135085.tif 000004
【図３】
2007135085.tif 000005
【図４】
2007135085.tif 000006
【図５】
2007135085.tif 000007
【図６】
2007135085.tif 000008
【図７】
2007135085.tif 000009